(57)【要約】【課題】放熱性能を向上させることができる電子装置を提供すること。【解決手段】電子装置１０は、ケース２０における壁部２１の外面に沿った空気の流れを形成する送風ファン１００と、ファンカバー３００とを含んでいる。ファンカバー３００は、送風ファン１００の通気口からの空気が供給される送風空間Ｓ２を壁部２１との間に形成するものである。ファンカバー３００は、通気口の少なくとも一つが送風空間Ｓ２に配置されつつ、送風ファン１００による外面に沿った空気の流れが形成可能な状態で、筐体の少なくとも一部を覆いつつ、送風ファン１００のハウジング２００とケース２０とに取り付けられている。電子装置１０は、ファンカバー３００がハウジング２００に取り付けられている部分、及びファンカバー３００がケース２０に取り付けられている部分を密閉している密閉部材４００を備えている。【選択図】図４
2018206964.tif 000002
【特許請求の範囲】
【請求項１】
車両に搭載される電子装置であって、
貫通孔（２５）が形成された壁部（２１）を有する筐体（２０、３０）と、
前記筐体の内部空間（Ｓ１）に収容された回路基板（６０）と、
羽根部（１２０）と、前記羽根部を回転可能に収容し、前記壁部の外面又は内面と対向する部分を有しつつ前記貫通孔を塞ぐように前記壁部に配置されたハウジング（２００）と、前記ハウジングから前記内部空間に突出した電気接続端子（１４０）とを有し、前記羽根部の回転にともない前記ハウジングに設けられた通気口（２０１、２１２）を介して前記外面に沿った空気の流れを形成する送風ユニット（１００）と、
前記通気口からの空気が供給される送風空間（Ｓ２）を前記壁部との間に形成するものであり、前記通気口の少なくとも一つが前記送風空間に配置されつつ、前記送風ユニットによる前記外面に沿った空気の流れが形成可能な状態で、前記壁部の少なくとも一部を覆いつつ、前記ハウジングと前記筐体とに取り付けられたファンカバー（３００、３００ａ〜３００ｄ）と、
前記ファンカバーが前記ハウジングに取り付けられている部分、及び前記ファンカバーが前記筐体に取り付けられている部分を密閉している密閉部材（４００）と、を備えている電子装置。
【請求項２】
前記送風ユニットは、前記羽根部の回転軸が前記回路基板の板厚方向と一致した状態で前記壁部に配置されており、
前記ハウジングは、前記回転軸周りに設けられた側壁（２１０）を含んでおり、前記側壁の前記壁部とは反対側端部が開口して前記通気口の一つをなしており、
前記ファンカバーは、前記反対側端部に前記密閉部材を介して取り付けられており、前記反対側端部の前記通気口に対向する部位に、前記通気口に連通したカバー側通気口が設けられている請求項１に記載の電子装置。
【請求項３】
前記回路基板とコネクタ（４０）を、さらに備えており、
前記筐体は、前記壁部における前記ハウジングが配置された部位よりも突出したコネクタ取付部（２２）を含んでおり、
前記ファンカバーは、前記コネクタ取付部の上端に沿う仮想平面上に配置される部位を含んでいる請求項１又は２に記載の電子装置。
【請求項４】
前記筐体は、前記ファンカバーとの対向位置に複数の放熱フィンが設けられている請求項１乃至３のいずれか一項に記載の電子装置。
【請求項５】
各放熱フィンが前記筐体と前記ファンカバーとの前記対向位置から前記対向位置の外にわたって設けられ、前記送風空間と前記送風空間の外部空間とを連通する連通口（Ａ１）が形成されている請求項４に記載の電子装置。
【請求項６】
前記ファンカバーは、前記壁部側に突出し、前記送風空間において、前記送風空間に配置された前記通気口の開口方向に沿って設けられた複数の突出壁部（３４０）を含んでいる請求項１乃至５のいずれか一項に記載の電子装置。
【請求項７】
前記ファンカバーは、前記壁部側に突出し、前記送風空間において、前記送風空間に配置された前記通気口の開口方向に沿い、且つ、前記放熱フィンに沿って設けられた複数の突出壁部（３５０）を含んでおり、
前記放熱フィンと前記突出壁部によって、前記通気口から前記連通口に達する空気流路が形成されている請求項５に記載の電子装置。
【請求項８】
前記筐体は、二つの筐体部材が組み付けられることで前記内部空間を形成しており、
前記送風ユニットは、一方の前記筐体部材に取り付けられており、
前記ファンカバーは、前記送風ユニットが取り付けられた前記筐体部材から他方の前記筐体部材に対向する位置にわたって設けられており、二つの前記筐体部材との間に連続した前記送風空間を形成している請求項１乃至７のいずれか一項に記載の電子装置。
【発明の詳細な説明】
【技術分野】
【０００１】
この明細書における開示は電子装置に関する。
【背景技術】
【０００２】
特許文献１に開示されているように、車両に搭載される防水型の電子装置が知られている。この電子装置は、シール剤により水密に封止された防水筐体を備えている。この防水筐体の内部空間には、回路基板が収容されている。また、防水筐体の壁部の外面側には、回路基板から生じた熱を電子装置外に放熱するための放熱フィンが設けられている。
【先行技術文献】
【特許文献】
【０００３】
【特許文献１】特開２０１６−１４３８５２号公報
【発明の概要】
【発明が解決しようとする課題】
【０００４】
ところで、電子装置は、車両の搭載環境が狭くなったことにともない小型化している。このため、電子装置は、電子装置の小型化にともない放熱フィンの設置領域が狭くなり、放熱性能を確保するのが困難である。
【０００５】
これに対し、防水筐体の壁部に、羽根部及びハウジングを有する送風ユニットを配置し、放熱性能の向上を図ることも考えられる。しかしながら、このような電子装置は、送風ユニットから排出された空気を効率的に防水筐体に供給できずに、放熱性能を向上できない可能性がある。
【０００６】
本開示は、上記問題点に鑑みなされたものであり、放熱性能を向上させることができる電子装置を提供することを目的とする。
【課題を解決するための手段】
【０００７】
上記目的を達成するために本開示は、
車両に搭載される電子装置であって、
貫通孔（２５）が形成された壁部（２１）を有する筐体（２０、３０）と、
筐体の内部空間（Ｓ１）に収容された回路基板（６０）と、
羽根部（１２０）と、羽根部を回転可能に収容し、壁部の外面又は内面と対向する部分を有しつつ貫通孔を塞ぐように壁部に配置されたハウジング（２００）と、ハウジングから内部空間に突出した電気接続端子（１４０）とを有し、羽根部の回転にともないハウジングに設けられた通気口（２０１、２１２）を介して外面に沿った空気の流れを形成する送風ユニット（１００）と、
通気口からの空気が供給される送風空間（Ｓ２）を壁部との間に形成するものであり、通気口の少なくとも一つが送風空間に配置されつつ、送風ユニットによる外面に沿った空気の流れが形成可能な状態で、壁部の少なくとも一部を覆いつつ、ハウジングと筐体とに取り付けられたファンカバー（３００、３００ａ〜３００ｄ）と、
ファンカバーがハウジングに取り付けられている部分、及びファンカバーが筐体に取り付けられている部分を密閉している密閉部材（４００）と、を備えていることを特徴とする。
【０００８】
本開示は、ファンカバーを設けることで送風空間を形成しているため、送風ユニットによって形成された空気の流れを効率的に壁部の外面に沿わせることができる。さらに、本開示は、ファンカバーがハウジングと筐体とに密閉部材を介して取り付けられているため、送風ユニットによって形成された空気の流れが、外部空間の外部に発散することを抑制でき、放熱性能を向上させることができる。
【０００９】
なお、特許請求の範囲、及びこの項に記載した括弧内の符号は、一つの態様として後述する実施形態に記載の具体的手段との対応関係を示すものであって、本開示の技術的範囲を限定するものではない。
【図面の簡単な説明】
【００１０】
【図１】第１実施形態における電子装置の概略構成を示す斜視図である。
【図２】第１実施形態における電子装置の概略構成を示す透視図である。
【図３】第１実施形態におけるファンカバーの概略構成を示す斜視図である。
【図４】図１のIV‐IV線に沿う断面図である。
【図５】第２実施形態における電子装置の概略構成を示す断面図である。
【図６】第３実施形態における電子装置の概略構成を示す透視図である。
【図７】第３実施形態におけるファンカバーの概略構成を示す斜視図である。
【図８】第４実施形態における電子装置の概略構成を示す透視図である。
【図９】第４実施形態におけるファンカバーの概略構成を示す斜視図である。
【図１０】第５実施形態における電子装置の概略構成を示すケース側斜視図である。
【図１１】第５実施形態における電子装置の概略構成を示すカバー側斜視図である。
【発明を実施するための形態】
【００１１】
以下において、図面を参照しながら、本開示を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１２】
なお、以下においては、互いに直交する３方向をＸ方向、Ｙ方向、Ｚ方向と示す。また、Ｘ方向とＹ方向とによって規定される平面をＸＹ平面、Ｘ方向とＺ方向とによって規定される平面をＸＺ平面と示す。
【００１３】
（第１実施形態）
図１、図２、図３、図４に基づき、本実施形態に係る電子装置１０の概略構成について説明する。図１、図２、図４に示すように、電子装置１０は、ケース２０とカバー３０とを含む防水筐体、回路基板６０、送風ファン１００、及びファンカバー３００を備えている。この電子装置１０は、例えば、車両のエンジンを制御する電子制御装置（ＥＣＵ）として適用できる。なお、図４は、電子装置１０のＸＺ平面での部分的な断面図である。防水筐体は、筐体に相当する。本実施形態では、筐体として、防水筐体を採用しているが、防水筐体に限定されない。
【００１４】
防水筐体は、回路基板６０を収容する内部空間Ｓ１としての防水空間を提供する。防水筐体は、回路基板６０の板厚方向であるＺ方向において二つの筐体部材に分割されている。二つの筐体部材は、一方がケース２０で、他方がカバー３０とされている。防水筐体は、図示しないシール部材を介して、ケース２０及びカバー３０を相互に組み付けて構成される。つまり、防水筐体は、ケース２０とカバー３０とがシール部材を介して組み付けられて、防水空間を提供している。
【００１５】
ケース２０は、一面が開口する箱状をなしている。本実施形態では、放熱性向上のために、ケース２０がアルミニウムなどの金属材料を用いて形成されている。つまり、ケース２０は、樹脂材料を用いて形成されていても回路基板６０を保護することができる。しかしながら、ケース２０は、金属材料を用いて形成することで、樹脂材料を用いて形成されたものより放熱性を向上できる。ケース２０は、例えばアルミダイカストによって成形されたものを採用できる。
【００１６】
ケース２０の壁部２１は、例えば平面略矩形状をなしている。ケース２０の壁部２１は、防水筐体の壁部に相当する。壁部２１に連なる４つの側壁のひとつには、図示しない切り欠きが設けられている。この切り欠きは、ケース２０の一面の開口につながっている。また、切り欠きは、コネクタ４０の一部を防水筐体の外部に露出するために設けられている。
【００１７】
壁部２１は、壁部２１を板厚方向に貫通するファン取付開口部２５が形成されている。ファン取付開口部２５は、防水筐体のケース２０に送風ファン１００を取り付けるための開口部である。ファン取付開口部２５は、ケース２０の外面及び内面にわたって形成されている。つまり、ファン取付開口部２５は、内部空間Ｓ１と、防水筐体と、防水筐体の外部とを連通する貫通孔である。また、ファン取付開口部２５は、壁部２１に形成された貫通孔に相当する。
【００１８】
なお、本実施形態では、一例として、ファン取付開口部２５が形成された部位が壁部２１の他の部分に対して凹んで設けられたケース２０を採用している。つまり、ケース２０は、壁部２１において、ファン取付開口部２５が形成された部位に対して突出した部位を含んでいる。なお、この突出した部位は、コネクタ取付部２２や高背収容部２２ａなどである。
【００１９】
コネクタ取付部２２は、コネクタ４０を収容すべくＸ方向における一端側に設けられている。しかしながら、回路基板６０と外部機器との電気的な接続構造によっては、ケース２０にコネクタ取付部２２が形成されていなくてもよい。
【００２０】
高背収容部２２ａは、回路基板６０を構成するアルミ電解コンデンサなどの高背部品を収容する部位である。本実施形態の高背収容部２２ａは、コネクタ取付部２２からＸ方向に延設されている。さらに、高背収容部２２ａは、Ｘ方向において、後程説明するファンカバー３００と間隔をあけて設けられている。しかしながら、回路基板６０が高背部品を含んでいない場合、ケース２０に高背収容部２２ａが形成されていなくてもよい。
【００２１】
さらに、図１、図２に示すように、ケース２０は、放熱フィンとして、第１フィン２２ｂ、第２フィン２２ｃが形成されている。本実施形態では、二つの第１フィン２２ｂと、二つの第２フィン２２ｃで挟まれる位置に設けられた複数の第１フィン２２ｂとを含む例を採用している。第１フィン２２ｂと第２フィン２２ｃは、周辺よりも突出した部位であり、壁部２１からＺ方向に突出しており、且つ、コネクタ取付部２２に対してＸ方向に延設されている。よって、第１フィン２２ｂと第２フィン２２ｃは、コネクタ取付部２２に対してＸ方向に突出して設けられているとも言える。なお、第１フィン２２ｂ、第２フィン２２ｃは、例えば、ケース２０と一体的に、アルミニウムなどの金属材料を用いて形成されている。
【００２２】
後程説明するが、電子装置１０は、壁部２１に対向する位置にファンカバー３００が設けられている。そして、電子装置１０は、ファンカバー３００と壁部２１との間に送風空間Ｓ２が形成されている。この場合、ケース２０は、ファンカバー３００との対向位置に第１フィン２２ｂ、第２フィン２２ｃが設けられていると好ましい。つまり、ケース２０は、Ｚ方向の平面視において、ファンカバー３００と重なる位置に第１フィン２２ｂ、第２フィン２２ｃが設けられている。
【００２３】
これによって、電子装置１０は、送風ファン１００で形成された空気の流れに加えて、第１フィン２２ｂ、第２フィン２２ｃによって防水筐体の放熱を行うことができる。よって、電子装置１０は、送風ファン１００と、フィン２２ｂ、２２ｃの一方のみが設けられている構成よりも放熱性を向上できる。なお、ケース２０は、これに限定されず、第１フィン２２ｂや第２フィン２２ｃが、ケース２０におけるファンカバー３００の対向位置から外れた位置に設けられていてもよい。
【００２４】
また、各第１フィン２２ｂは、ケース２０とファンカバー３００との対向位置から対向位置の外にわたって設けられていると好ましい。つまり、各第１フィン２２ｂは、Ｚ方向の平面視において、ファンカバー３００と重なる位置から、ファンカバー３００と重ならない位置に連続的に設けられている。これによって、電子装置１０は、送風空間Ｓ２と送風空間の外部空間とを連通する連通口Ａ１が形成される。よって、電子装置１０ｂは、空気が送風空間Ｓ２を流れやすくすることができる。なお、外部空間とは、電子装置１０の周辺空間と言い換えることができる。
【００２５】
このように、本実施形態では、第１フィン２２ｂ、第２フィン２２ｃが形成されたケース２０を採用している。しかしながら、ケース２０は、これに限定されず、第１フィン２２ｂや第２フィン２２ｃが形成されていなくてもよい。
【００２６】
以上のように、ケース２０は、コネクタ取付部２２、高背収容部２２ａ、第１フィン２２ｂ、第２フィン２２ｃが形成されている。このため、ケース２０は、壁部２１のうち、第１フィン２２ｂ、第２フィン２２ｃを除く部分にファン取付開口部２５が形成されている。また、ファン取付開口部２５は、壁部２１のうち、略平坦な部分に形成されていると言える。
【００２７】
なお、図１に示す符号２３は、ねじなどによって電子装置１０を車両に取り付けるための車体固定部である。符号２４は、ケース２０とカバー３０とを固定するための筐体固定孔である。筐体固定孔２４には、図示しないねじが挿入される。これら車体固定部２３及び筐体固定孔２４は、ケース２０と一体に設けられている。
【００２８】
しかしながら、電子装置１０は、クリップや接着剤によって車両に取り付けられてもよい。この場合、ケース２０は、車体固定部２３が設けられていなくもてよい。また、ケース２０とカバー３０は、クリップや接着剤によって固定されてもよい。この場合、ケース２０は、筐体固定孔２４が設けられていなくもてよい。
【００２９】
さらに、ケース２０は、後程説明するフランジ部２２１と対向する壁部２１における位置に、ケース側凸部２６、ケース側溝部２７が設けられている。つまり、ケース側凸部２６とケース側溝部２７は、壁部２１の内面側に設けられている。ケース側凸部２６は、凸部に相当し、周辺よりも突出した部位である。一方、ケース側溝部２７は、凹部に相当し、周辺よりも凹んだ部位である。
【００３０】
ケース側凸部２６とケース側溝部２７は、ファン取付開口部２５を取り囲むように環状に設けられている。さらに、ケース側溝部２７は、ケース側凸部２６を取り囲むように環状に設けられている。本実施形態では、ファン取付開口部２５の開口端部として、ケース側凸部２６が設けられたケース２０を採用している。
【００３１】
カバー３０は、ケース２０とともに防水筐体の内部空間Ｓ１を形成する。ケース２０とカバー３０を組み付けることで、カバー３０によりケース２０における一面の開口が閉塞される。また、カバー３０によりケース２０の一面の開口が閉塞されることで、側壁に形成された切り欠きが区画され、図示しない開口部となる。この開口部により、コネクタ４０の一部が外部に露出される。なお、コネクタ４０は、少なくとも一部が内部空間Ｓ１に配置され、残りの部分が外部空間に配置される。
【００３２】
本実施形態では、放熱性向上のために、ケース２０と同様にアルミニウムなどの金属材料を用いて形成されたカバー３０を採用できる。また、カバー３０は、ケース２０と同様に、例えばアルミダイカストによって成形されたものを採用できる。カバー３０は、一面が開口する箱状をなしている。本実施形態では、一例として、外面側に複数の放熱フィン３１が形成されたカバー３０を採用している。しかしながら、カバー３０は、放熱フィン３１が形成されていなくてもよい。
【００３３】
防水筐体のシール部材は、ケース２０とカバー３０との間、ケース２０とコネクタ４０との間、及びカバー３０とコネクタ４０との間を介して、内部空間Ｓ１が外部空間と連通するのを遮断するように設けられている。このシール部材は、内部空間Ｓ１を取り囲むようにケース２０及びカバー３０の周縁部に配置されている。シール部材により、ケース２０及びカバー３０の周縁部が水密に封止されている。シール部材として、例えば硬化前において液状の接着材を採用することができる。また、シール部材は、これに限定されず、Ｏリングや環状のゴムシートなどのように弾性変形によって水密に封止する部材であっても採用できる。
【００３４】
回路基板６０は、防水筐体の内部空間Ｓ１に収容されており、ケース２０又はカバー３０に固定されている。また、回路基板６０は、ケース２０とカバー３０とで挟み込まれて、ケース２０とカバー３０に固定されていてもよい。ケース２０やカバー３０に対する回路基板６０の固定構造は、特に限定されない。
【００３５】
回路基板６０は、プリント基板、及び、プリント基板に実装された回路素子６１を有している。プリント基板は、例えば樹脂などの電気絶縁材料を用いて形成された基材に、配線が配置されてなる。そして、回路基板６０は、配線と回路素子６１とにより、回路が形成されている。プリント基板は、例えば平面略矩形状をなしている。回路素子６１は、プリント基板におけるケース２０側の面及びカバー３０側の面の少なくとも一方に実装されている。
【００３６】
本実施形態では、回路素子６１のうち、パワーＭＯＳＦＥＴなどの発熱素子が、図２に示すように、プリント基板におけるケース２０側の面であって、Ｚ方向の平面視において送風ファン１００の周囲に配置されている。電子装置１０は、発熱素子の周辺、すなわち壁部２１における発熱素子に対向する領域を積極的に冷却することが好ましい。
【００３７】
このため、発熱素子は、送風ファン１００の周囲であり、且つ、後程説明する第２通気口２１２の開口方向に沿う位置に設けられていると好ましい。つまり、送風ファン１００は、壁部２１における発熱素子に対向する領域に風を供給できるように構成されていると好ましい。電子装置１０は、壁部２１における送風ファン１００の位置や、送風ファン１００における第２通気口２１２の位置などによって、壁部２１における発熱素子に対向する領域に風を供給できるように構成可能である。なお、プリント基板には、アルミ電解コンデンサなどの高背部品が実装されている。
【００３８】
また、本実施形態では、スルーホール６２が形成されたプリント基板を採用している。そして、回路基板６０は、例えば回路素子６１の端子がスルーホール６２に挿入された状態で、回路素子６１とプリント基板（配線）が電気的に接続されている。
【００３９】
回路基板６０には、コネクタ４０が実装されている。コネクタ４０は、回路基板６０と、電子装置１０の外部に設けられた電子機器とを電気的に接続するための電子部品である。コネクタ４０は、回路基板６０におけるＸ方向の一端側に実装され、プリント基板の配線に電気的に接続されている。コネクタ４０は、一部が防水筐体の上記した開口部を介して外部に露出され、残りの部分が内部空間Ｓ１に収容されている。
【００４０】
コネクタ４０は、樹脂材料を用いて形成されたハウジング、及び、導電性材料を用いて形成され、ハウジングに保持された複数の端子を有している。つまり、コネクタ４０は、複数の端子がプリント基板の配線に電気的に接続されている。コネクタ４０は、複数の端子が、スルーホール６２に挿入された状態で、プリント基板の配線に電気的に接続されていてもよい。
【００４１】
送風ファン１００は、送風ユニットに相当する。送風ファン１００は、ケース２０の壁部２１に取り付けられている。送風ファン１００は、ケース２０のファン取付開口部２５に取り付けられている。送風ファン１００は、回路基板６０を冷却するために設けられている。送風ファン１００は、羽根部１２０の回転により、図４の一点鎖線で示すように空気の流れを形成して、ケース２０に風を供給する。つまり、送風ファン１００は、羽根部１２０の回転にともないハウジング２００に設けられた第１通気口２０１、２１２を介して壁部２１の外面に沿った空気の流れを形成する。また、送風ファン１００は、第１通気口２０１と第２通気口２１２の位置及び開口方向を後程説明する構成とすることで、図４の一点鎖線で示すように空気の流れを形成することができる。
【００４２】
送風ファン１００は、ケース２０に風を供給することで回路基板６０を冷却する。つまり、送風ファン１００は、ケース２０を冷却することで、ケース２０内の回路基板６０を冷却するものと言える。このため、送風ファン１００は、冷却ファンとも言える。送風ファン１００としては、例えば、周知の軸流ファンを採用することができる。
【００４３】
送風ファン１００は、ケース２０に風を供給する部位であるファン機構と、ファン機構を保持するハウジング２００とを含んでいる。送風ファン１００は、シール部材５０を介してケース２０に固定されるとともに、回路基板６０に電気的に接続されている。
【００４４】
ファン機構は、例えば、軸部１１０、羽根部１２０、ファン用回路基板１３０、端子１４０、ポッティング部１５０などを備えている。なお、ファン機構は、軸流ファンにおける周知の構造を採用できるため、図４などにおいては、軸部１１０、羽根部１２０などを簡略化して図示している。
【００４５】
例えば、軸部１１０は、羽根部１２０の回転軸となる回転シャフト１１１、回転シャフトをハウジング２００やコイルに対して回転可能に構成するための軸受、回転シャフトの周囲に配置されハウジング２００に対して固定されたコイルなどを含んでいる。コイルは、ファン用回路基板１３０と電気的に接続されており、ファン用回路基板１３０から通電される。なお、コイルは、回転軸の周囲における複数箇所に設けられている。
【００４６】
回転シャフト１１１は、送風ファン１００がケース２０や回路基板６０に取り付けられた状態で、回路基板６０に対して垂直に設けられている。回転シャフト１１１の軸方向、すなわち羽根部１２０の回転軸の方向が、Ｚ方向と一致するように、送風ファン１００がケース２０に取り付けられている。つまり、送風ファン１００は、羽根部１２０の回転軸が回路基板６０の板厚方向と一致した状態で、すなわちＺ方向に沿った状態で壁部２１に配置されている。このため、送風ファン１００は、ＸＹ平面に沿って羽根部１２０が回転する。
【００４７】
また、羽根部１２０は、例えば、コイルの周囲に等間隔で複数個設けられており、コイルと対向する位置に磁石が取り付けられている。羽根部１２０は、回転シャフトに固定されており、回転シャフトの回転に伴って、ハウジング２００に対して回転可能に構成されている。
【００４８】
このように、ファン機構は、ハウジング２００に対して回転可能に構成された回転子と、ハウジング２００に固定された固定子とを含んでいるとも言える。回転子は、例えば回転シャフト１１１や羽根部１２０などを含んでいる。一方、固定子は、例えばコイルや軸受などを含んでいる。さらに、ファン機構は、モータと、モータの回転に伴って回転する羽根部１２０を備えているとも言える。
【００４９】
送風ファン１００は、コイルが通電されることによって羽根部１２０が回転する。そして、送風ファン１００は、羽根部１２０が回転することで、第１通気口２０１から空気を吸入して、第２通気口２１２から排出する。この場合、第１通気口２０１を吸込口、第２通気口２１２を排出口と称することもできる。
【００５０】
なお、送風ファン１００は、羽根部１２０が回転することで、第２通気口２１２から空気を吸入して、第１通気口２０１から排出するように構成されていてもよい。この場合、第２通気口２１２を吸込口、第１通気口２０１を排出口と称することができる。
【００５１】
本実施形態では、ファン用回路基板１３０を保護するために、ポッティング部１５０を採用している。しかしながら、本開示は、これに限定されず、後程説明するハウジング２００とともにファン用回路基板１３０と端子１４０がインサート成形されていてもよい。さらに、送風ファン１００は、ポッティング部１５０が設けられていなくてもよい。なお、本実施形態で採用したファン機構は一例である。ファン機構は、例えば、遠心ファンと同様の構成であっても採用できる。
【００５２】
ハウジング２００は、回転シャフト１１１や羽根部１２０などの回転子が回転可能な状態で、ファン機構を収納している。ハウジング２００は、第１通気口２０１、側壁２１０、側壁端部２１１、第２通気口２１２、底部２２０、フランジ部２２１などを含んでいる。ハウジング２００は例えば樹脂材料を用いて形成されている。側壁２１０及び底部２２０は、Ｚ方向において一端側が開口する有底の筒形状をなしている。この筒の開口が、第１通気口２０１とされている。第１通気口２０１の全体が、Ｚ方向において羽根部１２０よりも上方に設けられている。送風ファン１００は、ファン機構がハウジング２００の側壁２１０で囲まれているため、飛び石などの異物がファン機構に当たるのを抑制することができ、ファン機構の羽根部１２０などを保護することができる。
【００５３】
ハウジング２００は、ファン取付開口部２５を塞ぐように、壁部２１の内面におけるファン取付開口部２５の周囲部分と対向しつつファン取付開口部２５を覆うように配置されている。つまり、ハウジング２００は、壁部２１の内面と対向する部分を有しつつファン取付開口部２５を塞ぐように壁部２１に配置されている。ハウジング２００には、複数の通気口２０１、２１２が形成されている。複数の通気口は、羽根部１２０の回転にともなって、壁部２１の外面に沿った空気の流れが形成されるように、Ｚ方向において異なる位置に形成されている。
【００５４】
本実施形態では、第１通気口２０１と第２通気口２１２が形成されたハウジング２００を採用している。第１通気口２０１及び第２通気口２１２の一方が空気の吸込口として機能し、他方が排出口として機能する。
【００５５】
第１通気口２０１及び第２通気口２１２は、いずれも、Ｚ方向において、壁部２１におけるファン取付開口部２５の開口周囲の外面よりも上方、すなわち回路基板６０から離れた位置に形成されている。第１通気口２０１は、少なくとも一部分がＺ方向において羽根部１２０よりも上方に位置し、第２通気口２１２は、少なくとも一部分がＺ方向において羽根部１２０よりも下方に位置するように形成されている。また、ハウジング２００は、回転軸周りに設けられた側壁２１０を含んでおり、側壁２１０の壁部２１とは反対側端部が開口して通気口の一つである第１通気口２０１をなしていると言える。
【００５６】
さらに、第２通気口２１２は、送風ファン１００がケース２０に取り付けられた状態で、防水筐体の外部に配置される位置に設けられている。つまり、第２通気口２１２は、壁部２１の外面を基準として、内部空間Ｓ１とは反対側の位置に設けられている。
【００５７】
また、第１通気口２０１は、Ｚ方向に開口している。一方、第２通気口２１２は、ＸＹ平面に沿う方向（以下、ＸＹ平面方向）に開口している。このように、第１通気口２０１と第２通気口２１２は、開口方向が異なる。このため、羽根部１２０が回転した際の第１通気口２０１を通過する風の流れは、Ｚ方向になると言える。一方、羽根部１２０が回転した際の第２通気口２１２を通過する風の流れは、ＸＹ平面方向になると言える。送風ファン１００は、吸込口を通る風の向きと、排出口を通る風の向きを変えることができるように構成されていると言える。また、送風ファン１００は、羽根部１２０が回転することで、ＸＹ平面方向に吸い込んだ空気をＺ軸方向へ排出、又はＺ軸方向に吸い込んだ空気をＸＹ平面方向へ排出できるように構成されているとも言える。
【００５８】
ハウジング２００は、例えば平面略矩形状の底部２２０と、底部２２０と連なる四つの側壁２１０を有している。側壁２１０の少なくともひとつに、第２通気口２１２が形成されている。本実施形態では、４つの側壁２１０のそれぞれに、第２通気口２１２が形成されている。第２通気口２１２は、側壁２１０を貫通する貫通孔である。第２通気口２１２は、Ｚ方向が短手方向、Ｚ方向に直交する方向が長手方向となるように、形成されている。しかしながら、第２通気口２１２の開口形状は、これに限定されない。第２通気口２１２は、開口形状が円形や正方形であってもよく、特に限定されない。
【００５９】
側壁２１０は、底部２２０からＺ方向に離れた位置に第２通気口２１２が形成されている。側壁２１０は、底部２２０側の端部に側壁端部２１１が設けられている。側壁端部２１１は、側壁２１０のうち、第２通気口２１２と底部２２０との間の部位である。なお、側壁端部２１１は、Ｚ方向における底部２２０及びフランジ部２２１から第２通気口２１２までの間隔が、壁部２１の厚みよりも長くなっている。これによって、ハウジング２００は、第２通気口２１２が防水筐体の外部に配置されることになる。しかしながら、ハウジング２００は、第２通気口２１２が内部空間Ｓ１に連通しておらず、第２通気口２１２の少なくとも一部が防水筐体の外部に配置されていればよい。
【００６０】
また、ハウジング２００は、ケース２０に取り付けられた防水筐体の防水性を維持するために、羽根部１２０などを収容している収容空間と内部空間Ｓ１とを連通する穴が形成されていない。つまり、例えば底部２２０には、内部空間Ｓ１に達する貫通孔などは設けられていない。側壁２１０及び底部２２０で構成される有底の筒状部材は、底に開口が設けられていない、と言うことができる。
【００６１】
しかしながら、ハウジング２００は、後程説明するように、送風ファン１００と回路基板６０とを電気的に接続するための端子１４０が内部空間Ｓ１に突出している。このため、端子１４０は、ハウジング２００との間が水密な状態でハウジング２００から突出するように構成されている。これは、ハウジング２００を形成する際に、端子１４０をインサート成形することなどによって達成できる。
【００６２】
なお、本実施形態では、隣り合う側壁２１０の角部、すなわち連結部分がＲ形状をなしたハウジング２００を採用している。第２通気口２１２は、Ｒ形状の部分を除く平坦部分に形成されている。しかしながら、ハウジング２００は、これに限定されず、Ｒ形状をなしていなくてもよく、Ｒ形状をなしている部分に第２通気口２１２が形成されていてもよい。
【００６３】
また、本実施形態では、四箇所に第２通気口２１２が形成されたハウジング２００を採用している。しかしながら、ハウジング２００は、これに限定されず、三箇所以下に第２通気口２１２が形成されていてもよいし、五箇所以上に第２通気口２１２が形成されていてもよい。さらに、ハウジング２００は、Ｚ方向の平面視において丸形状であってもよい。
【００６４】
図４に示すように、ハウジング２００は、ファン取付開口部２５に挿入されている。ハウジング２００は、ファン取付開口部２５を通じて、ケース２０の内外にわたって配置されている。底部２２０の少なくとも一部は、内部空間Ｓ１に配置されている。側壁２１０は、一部がファン取付開口部２５内に配置されるとともに、他の一部が壁部２１の外面よりも上方に突出している。本実施形態では、ハウジング２００がファン取付開口部２５に挿入された状態で、側壁端部２１１の一部がファン取付開口部２５に配置される。つまり、側壁端部２１１は、Ｚ方向に直交する方向において、ファン取付開口部２５を構成するケース２０の側壁と対向している。
【００６５】
フランジ部２２１は、側壁２１０及び底部２２０がなす筒の下端から、周囲に広がるようにして、側壁２１０及び底部２２０と一体に成形されている。フランジ部２２１は、ファン取付開口部２５周りの全周で、壁部２１と対向するように設けられている。本実施形態では、フランジ部２２１が、側壁２１０の下端及び底部２２０の外周端に連なっている。つまり、フランジ部２２１は、側壁２１０の下端及び底部２２０の外周端とから、ＸＹ平面に沿って突出した部位と言える。また、フランジ部２２１が、壁部２１の内面におけるファン取付開口部２５の周囲部分と対向している。フランジ部２２１は、壁部２１の内面と対向する部分に相当する。
【００６６】
ハウジング２００は、壁部２１と対向するフランジ部２２１における位置に、ファン側溝部２２２、ファン側凸部２２３が設けられている。ファン側凸部２２３は、凸部に相当し、周辺よりも突出した部位である。一方、ファン側溝部２２２は、凹部に相当し、周辺よりも凹んだ部位である。
【００６７】
ファン側溝部２２２とファン側凸部２２３は、送風ファン１００がケース２０に取り付けられた状態で、ファン取付開口部２５を取り囲むように環状に設けられている。さらに、ファン側凸部２２３は、ファン側溝部２２２を取り囲むように環状に設けられている。
【００６８】
なお、本実施形態では、側壁端部２１１の一部が突出した突出部２３０を含むハウジング２００を採用している。これにより、金型を用いてハウジング２００を樹脂成形する際に、金型からハウジング２００を取り出しやすくすることができる。しかしながら、ハウジング２００は、突出部２３０が設けられていなくてもよい。
【００６９】
電子装置１０は、ケース２０に送風ファン１００が取り付けられた状態で、ケース側凸部２６とファン側溝部２２２とが対向し、ファン側凸部２２３とケース側溝部２７が対向するように構成されている。つまり、電子装置１０は、ケース２０に送風ファン１００が取り付けられた状態で、フランジ部２２１と壁部２１ａとが互いにかみ合うように凹凸形状をなしている部位を備えている。しかしながら、電子装置１０は、これに限定されず、ファン側凸部２２３とケース側溝部２７、ファン側溝部２２２とケース側凸部２６の少なくとも一方が設けられていればよい。
【００７０】
このように、送風ファン１００は、少なくともフランジ部２２１においてケース２０に固定されている。電子装置１０は、ハウジング２００とケース２０との対向部分の一部により、防水シール部５１が構成されている。防水シール部５１は、少なくともフランジ部２２１とケース２０との対向部分に、シール部材５０が介在してなる。
【００７１】
本実施形態では、フランジ部２２１とケース２０との対向部分に加えて、側壁端部２１１（突出部２３０）とケース２０との対向部分にもシール部材５０が介在してなる例を採用している。このため、電子装置１０は、ケース側凸部２６とファン側溝部２２２との対向部分、及びファン側凸部２２３とケース側溝部２７との対向部分にシール部材５０が設けられている。
【００７２】
なお、フランジ部２２１とケース２０との対向部分は、フランジ部２２１とケース２０との間の領域又は対向領域と言い換えることができる。同様に、側壁端部２１１とケース２０との対向部分は、側壁端部２１１とケース２０との間の領域又は対向領域と言い換えることができる。
【００７３】
防水シール部５１は、ファン取付開口部２５を取り囲むように環状に設けられている。ハウジング２００及びケース２０のうち、Ｚ方向の平面視においてシール部材５０と重なる部分が、防水シール部５１を構成する部分である。本実施形態では、フランジ部２２１とケース２０との対向部分に加えて、側壁端部２１１とケース２０との対向部分が防水シール部５１とされている。このように、電子装置１０は、壁部２１とハウジング２００との対向部分にシール部材５０が介在してなり、ファン取付開口部２５の周りを水密に封止する防水シール部５１を有していると言える。
【００７４】
しかしながら、電子装置１０は、これに限定されず、ファン取付開口部２５の全周であり、且つ、フランジ部２２１とケース２０との対向部分及び側壁２１０とケース２０との対向部分の一部にシール部材５０が設けられていればよい。電子装置１０は、例えば、側壁端部２１１とケース２０との対向部分にシール部材５０が設けられていなくてもよい。この場合、電子装置１０は、フランジ部２２１の先端から所定範囲の部分にシール部材５０が設けられ、この部分が防水シール部５１となる。
【００７５】
また、シール部材５０としては、硬化前において液状の接着材を採用できる。送風ファン１００は、防水シール部５１にてケース２０に固定されている。
【００７６】
なお、本実施形態では、壁部２１とハウジング２００との対向部分にシール部材５０が介在してなり、ファン取付開口部２５の周りを水密に封止する防水シール部５１を有する電子装置１０を採用した。しかしながら、電子装置１０は、これに限定されず、防水シール部５１を有していない構成であっても、放熱性能を向上させることができる。なお、電子装置１０が放熱性能を向上させることができる点に関しては、後程説明する。
【００７７】
端子１４０は、電気接続端子に相当し、ハウジング２００から内部空間Ｓ１側に突出しており、回路基板６０と電気的に接続されている。送風ファン１００は、例えば、三つの端子１４０を備えている。端子１４０は、ハウジング２００の底部２２０を貫通している。端子１４０は、ハウジング２００のうち、防水シール部５１により囲まれた部分から、内部空間Ｓ１に突出している。つまり、端子１４０は、底部２２０からＺ方向であり、且つ、回路基板６０側に突出していると言える。端子１４０は、一部がハウジング２００内に配置されたファン用回路基板１３０と電気的に接続され、他の一部が回路基板６０と電気的に接続されている。
【００７８】
このように、電子装置１０は、端子１４０を介して、ファン用回路基板１３０、すなわち送風ファン１００と、回路基板６０とが電気的に接続されている。また、送風ファン１００は、端子１４０が防水シール部５１で囲まれた位置に設けられており、端子１４０を介して回路基板６０に電気的に接続されている。
【００７９】
なお、金属製の端子１４０は、樹脂製のハウジング２００にインサート成形されて、一体化されている。また、端子１４０は、例えば、回路基板６０に設けられたスルーホール６２に一部が配置されて、すなわちスルーホール６２に挿入されて、はんだなどの導電性の接続部材６３によって回路基板６０の配線と電気的に接続されている。
【００８０】
ファン用回路基板１３０には、羽根部１２０を回転させるための駆動回路が形成されている。ファン用回路基板１３０には、軸部１１０におけるコイルが電気的に接続されている。送風ファン１００は、回路基板６０、端子１４０、及びファン用回路基板１３０を通じてコイルが通電されることにより、上記した回転子が正方向に回転する。そして、送風ファン１００は、羽根部１２０の所定の形状によりハウジング２００内に空気の圧力差が発生し、図４に示すように、第１通気口２０１から吸入した空気が第２通気口２１２から排出される。なお、送風ファン１００は、ロータを正方向とは反対の方向に回転させると、第２通気口２１２から吸入した空気が第１通気口２０１から排出される。
【００８１】
ファン用回路基板１３０は、ハウジング２００内において、羽根部１２０よりも下方、すなわち回路基板６０側に配置されている。ファン用回路基板１３０は、ハウジング２００に固定されている。本実施形態では、ファン用回路基板１３０及び端子１４０の一部がポッティング部１５０内に埋設されて、ポッティング部１５０で封止されている。このため、ファン用回路基板１３０や端子１４０の一部は、ポッティング部１５０によって保護されている。つまり、送風ファン１００は、ポッティング部１５０で覆われたファン用回路基板１３０や端子１４０に、水などの液体が付着することを抑制できる。言い換えると、送風ファン１００は、ポッティング部１５０によって防水性が確保されている。
【００８２】
ポッティング部１５０は、ハウジング２００内に、第２通気口２１２を閉塞せず、且つ、羽根部１２０などの回転子の動きを阻害しないように設けられている。本実施形態では、一例として、底部２２０から第２通気口２１２に達するまでの空間、すなわち、底部２２０上において側壁端部２１１で囲まれた空間にポッティング部１５０が形成された例を採用している。
【００８３】
なお、ファン用回路基板１３０は、端子１４０とは別の支持部によって支持されていてもよい。ファン用回路基板１３０は、底部２２０の内面に固定されてもよい。また、ファン用回路基板１３０の封止は、ポッティング部１５０に限定されない。例えば、端子１４０が実装されたファン用回路基板１３０は、ハウジング２００にインサート成形され、底部２２０によって封止された構成であっても採用することができる。
【００８４】
ファンカバー３００は、例えば、樹脂材料や、アルミニウムなどの金属を用いて形成されている。ファンカバー３００は、製造の容易性や、電子装置１０の重量の観点から樹脂材料で形成されたものが好ましい。
【００８５】
図１、図２、図３に示すように、ファンカバー３００、カバー上壁３１０、カバー前壁３２０、カバー側壁３３０、貫通孔３１１を含んでいる。ファンカバー３００は、通気口（ここでは第２通気口２１２）からの空気が供給される送風空間Ｓ２を壁部２１との間に形成する。ファンカバー３００は、図２に示すように、例えば、第２通気口２１２が送風空間Ｓ２に配置された状態で、壁部２１の少なくとも一部を覆いつつ、ハウジング２００とケース２０とに取り付けられている。さらに、ファンカバー３００は、送風ファン１００による外面に沿った空気の流れが形成可能な状態で、壁部２１の少なくとも一部を覆いつつ、ハウジング２００とケース２０とに取り付けられている。なお、本実施形態では、第２通気口２１２が送風空間Ｓ２に配置される例を採用している。しかしながら、ファンカバー３００は、通気口の少なくとも一つが送風空間Ｓ２に配置されつつ、送風ファン１００による外面に沿った空気の流れが形成可能であればよい。
【００８６】
ファンカバー３００は、カバー上壁３１０が壁部２１と間隔をあけて対向するように取り付けられている。また、ファンカバー３００は、コネクタ取付部２２に対してＸ方向に対向する位置にカバー前壁３２０が設けられており、第２フィン２２ｃに沿う位置にカバー側壁３３０が設けられている。
【００８７】
カバー上壁３１０は、ファンカバー３００がケース２０に取り付けられた状態で、第１通気口２０１に対向する位置に、貫通孔３１１が設けられている。また、カバー上壁３１０は、ファンカバー３００がケース２０に取り付けられた状態で、二つの第２フィン２２ｃとＺ方向において対向する部位を含んでいる。
【００８８】
カバー前壁３２０は、ファンカバー３００がケース２０に取り付けられた状態で、壁部２１とＺ方向における対向する部位を含んでいる。また、カバー側壁３３０は、ファンカバー３００がケース２０に取り付けられた状態で、二つの第２フィン２２ｃとＸ方向において対向する部位を含んでいる。
【００８９】
密閉部材４００は、ファンカバー３００がハウジング２００に取り付けられている部分、及びファンカバー３００がケース２０に取り付けられている部分を密閉している。例えば、密閉部材４００は、ハウジング２００の開口端部とカバー上壁３１０との間に設けられ、両部材に密着している。詳述すると、カバー上壁３１０は、カバー上壁３１０における壁部２１との対向面と、ハウジング２００の開口端部の全周が対向しており、この対向面と開口端部とが密閉部材４００を介して接続されている。言い換えると、ハウジング２００とカバー上壁３１０は、第１通気口２０１と貫通孔３１１を囲うように密閉部材４００で密閉されている。密閉部材４００は、ハウジング２００の開口端部とカバー上壁３１０との間に空気が通過するのを防止可能な材料であれば採用できる。
【００９０】
なお、貫通孔３１１は、カバー側通気口に相当する。また、ハウジング２００の開口端部は、反対側端部に相当する。
【００９１】
また、密閉部材４００は、二つの第２フィン２２ｃにおけるＺ方向側に露出している部位とカバー上壁３１０との間、及び二つの第２フィン２２ｃにおけるＸ方向側に露出している部位とカバー側壁３３０との間の全域を密閉している。さらに、密閉部材４００は、壁部２１とカバー前壁３２０との間の全域を密着している。
【００９２】
電子装置１０は、ファンカバー３００とケース２０との間に連通口Ａ１が形成され、ファンカバー３００に第１通気口２０１と対向する貫通孔３１１が設けられている。このため、電子装置１０は、ケース２０とファンカバー３００とハウジング２００との間に、第２通気口２１２から排出された空気が流れる送風空間Ｓ２が形成される。つまり、電子装置１０は、ケース２０とファンカバー３００とハウジング２００との間に空気の出口としての連通口Ａ１を有する送風空間Ｓ２が形成される。また、送風空間Ｓ２は、ケース２０とファンカバー３００とハウジング２００とで囲まれた空間と言える。さらに、送風空間Ｓ２は、第２通気口２１２、第１通気口２０１、及び貫通孔３１１を介して、外部空間と連通しているとも言える。
【００９３】
特に、本実施形態では、コネクタ取付部２２の上端に沿う仮想平面上に配置される部位を含んだファンカバー３００を採用している。具体的には、カバー上壁３１０が仮想平面上に配置されている。言い換えると、カバー上壁３１０は、コネクタ取付部２２のＸＹ平面に沿う上面に沿って設けられている。電子装置１０は、壁部２１の外面からカバー上壁３１０までの間隔と、壁部２１の外面からコネクタ取付部２２のＸＹ平面に沿う上面との間隔が等しいとも言える。
【００９４】
これによって、電子装置１０は、ファンカバー３００がコネクタ取付部２２よりもＺ方向に突出することを抑制できる。このため、電子装置１０は、Ｚ方向の体格が大きくなることを抑制しつつ、送風空間Ｓ２の容積を大きくすることができる。したがって、電子装置１０は、送風空間Ｓ２を流れる空気の量を増大させることができるため放熱効率を向上できる。
【００９５】
次に、上記した電子装置１０の組み付け手順の一例について説明する。
【００９６】
先ず、ケース２０、カバー３０、回路基板６０、送風ファン１００、及びファンカバー３００をそれぞれ準備する。そして、送風ファン１００を回路基板６０に実装する。本実施形態では、挿入実装型の端子１４０を採用しており、回路基板６０のスルーホール６２に端子１４０を挿入し、回路基板６０と端子１４０とを接続部材６３で電気的に接続する。このようにして、回路基板６０と送風ファン１００を一体化させる。なお、接続部材６３としてはんだを採用する場合、回路基板６０と端子１４０とをはんだ付けするとも言える。
【００９７】
なお、コネクタ４０については、送風ファン１００と同じタイミングで回路基板６０に実装してもよいし、送風ファン１００とは別のタイミングで実装してもよい。本実施形態では、挿入実装される回路素子６１、コネクタ４０、及び送風ファン１００を、同じタイミングではんだ付けする。
【００９８】
次いで、回路基板６０をケース２０に取り付ける。例えば、ケース２０は、壁部２１の内面側に図示しない台座を有しており、回路基板６０を台座に配置してねじ固定する。
【００９９】
回路基板６０を取り付ける際、送風ファン１００もケース２０に取り付ける。回路基板６０をケース２０の台座に配置する前に、フランジ部２２１や側壁端部２１１にシール部材５０を塗布する。また、ケース２０の周縁部のうち、コネクタ４０のハウジングが対向する部分にも、図示しないシール部材を塗布する。なお、シール部材５０は、ケース２０におけるフランジ部２２１や側壁端部２１１と対向する部位に塗布してもよい。
【０１００】
そして、ファン取付開口部２５に対して送風ファン１００を位置決めした状態で、回路基板６０を台座に配置する。これにより、ケース２０とフランジ部２２１や側壁端部２１１との間にシール部材５０が形成される。シール部材５０は、ケース２０、フランジ部２２１、側壁端部２１１に接触する。そして、ケース２０への回路基板６０の固定により、防水シール部５１が形成される。
【０１０１】
次いで、ケース２０の周縁部及びコネクタ４０におけるカバー３０との対向部分にシール部材を塗布した後、ケース２０にカバー３０を組み付ける。その後、ケース２０に対して、密閉部材４００を介してファンカバー３００を組み付ける。以上により、上記した電子装置１０を得ることができる。
【０１０２】
このように、電子装置１０は、ファンカバー３００を備えて送風空間Ｓ２を形成しているため、送風ファン１００によって形成された空気の流れを効率的に壁部２１の外面に沿わせることができる。さらに、電子装置１０は、ファンカバー３００がハウジング２００とケース２０とに密閉部材４００を介して取り付けられているため、送風ファン１００によって形成された空気の流れが外部空間に発散することを抑制でき、放熱性能を向上させることができる。
【０１０３】
電子装置１０は、高背収容部２２ａを有したケース２０を採用している。電子装置１０は、第２通気口２１２に対向する位置に高背収容部２２ａが設けられていた場合、第２通気口２１２から排出される空気が高背収容部２２ａで遮られて、高背収容部２２ａの裏側に流れにくい。なお、高背収容部２２ａの裏側とは、高背収容部２２ａにおける第２通気口２１２と対向している側の反対側である。
【０１０４】
しかしながら、電子装置１０は、ファンカバー３００が取り付けられることで、送風空間Ｓ２が形成されている。このため、電子装置１０は、第２通気口２１２に対向する位置に高背収容部２２ａが設けられていた場合であっても高背収容部２２ａの裏側に空気が流れやすくすることができる。
【０１０５】
さらに、送風ファン１００は、回転軸がＸＹ平面に沿う状態で壁部２１に配置することも考えられる。しかしながら、本実施形態では、回転軸が回路基板６０の板厚方向と一致した状態で壁部に配置している。このため、電子装置１０は、回転軸がＸＹ平面に沿う状態で壁部２１に配置する場合よりも、Ｚ方向の体格を小さくすることができる。また、ファンカバー３００は、ハウジング２００の反対側端部に密閉部材４００を介して取り付けられている。つまり、電子装置１０は、コネクタ取付部２２のＸＹ平面に沿う上面に沿うようにカバー上壁３１０が設けられている。このため、電子装置１０は、電子装置１０のＺ方向の体格を大きくすることなく、送風空間Ｓ２の容積を大きくすることができる。
【０１０６】
特に本実施形態では、送風ファン１００の一部をファン取付開口部２５内に配置している。このため、電子装置１０は、Ｚ方向において、体格をより一層小型化することができる。さらには、電子装置１０は、送風ファン１００の一部を内部空間Ｓ１内に配置しているため、Ｚ方向において、体格をより一層小型化することができる。
【０１０７】
また、電子装置１０では、防水シール部５１で囲まれた位置から内部空間Ｓ１に突出した端子１４０を介して送風ファン１００と回路基板６０とを電気的に接続している。このため、電子装置１０は、回路基板６０とは異なる車両に設けられた電子機器などと送風ファン１００とを電気的に接続する必要がなく、車両側に搭載制約を強いることを抑制できる。また、電子装置１０は、防水筐体の外部に設けられたワイヤハーネスなどを介して回路基板６０と送風ファン１００とを接続したり、回路基板６０とは異なる車両に設けられた電子機器などと送風ファン１００とを直接電気的に接続したりする必要がない。よって、電子装置１０は、車両側に搭載制約を強いることを抑制できる。これによって、電子装置１０は、構成を簡素化でき、体格を小型化できる。さらに、電子装置１０は、送風ファン１００を回路基板６０に電気的に接続する際の工数を低減できる。
【０１０８】
また、送風ファン１００は、強制的に空気の流れを作ってケース２０を冷却している。このため、送風ファン１００を取り付けた電子装置１０は、放熱フィンのみを取り付けた電子装置よりも放熱性能が優れていると言える。つまり、防水筐体の占める面積が同じ場合、送風ファン１００を取り付けた電子装置１０は、放熱フィンのみを取り付けた電子制御装置よりも放熱性能が優れている。逆に、放熱性能が同じ電子装置を比較した場合、送風ファン１００を取り付けた電子装置１０の防水筐体が必要とする面積は，放熱フィンのみを取り付けた電子装置の防水筐体が占める面積よりも小さい。よって、電子装置１０は、送風ファン１００と同様の冷却性能を確保するために放熱フィンを設ける場合よりも、体格を小型化できる。
【０１０９】
また、防水筐体や回路基板を冷却するには、エンジン冷却水などを防水筐体の周囲に配置して、エンジン冷却水で冷却することも考えられる。さらに、防水筐体や回路基板を冷却するには、ラジエータファンからの風があたる位置に電子装置を配置して、ラジエータファンからの風によって冷却することも考えられる。
【０１１０】
しかしながら、電子装置１０は、上記のようにケース２０に送風ファン１００を取り付けて、送風ファン１００で冷却を行う。このため、電子装置１０は、エンジン冷却水を防水筐体の周囲に配置したり、ラジエータファンからの風があたる位置に電子装置１０を配置したりする必要がなく、車両側に搭載制約を強いることを抑制できる。
【０１１１】
また、電子装置１０は、壁部２１の内面にハウジング２００のフランジ部２２１が対向するように、送風ファン１００とケース２０とが組み付けられている。このため、電子装置１０は、送風ファン１００を回路基板６０に実装してから、ケース２０を送風ファン１００に組み付けることができる。これによって、電子装置１０は、送風ファン１００から露出している端子１４０を回路基板６０のスルーホール６２に容易に挿入することができる。また、電子装置１０は、送風ファン１００を回路基板６０に実装される電子部品の一つとして取り扱うことができ、組み付けを簡素化できる。
【０１１２】
電子装置１０は、回路基板６０が防水筐体に収容されているため、回路基板６０から発せられた熱が防水筐体に放熱される。そして、電子装置１０は、送風ファン１００によって外面に沿った空気の流れが形成されるため、防水筐体の放熱を促進することができる。電子装置１０は、送風ファン１００によって作り出された風によって回路基板６０を冷却するため、放熱フィンによって防水筐体や回路基板６０を冷却する構成よりも、防水筐体や回路基板６０を急冷することができる。
【０１１３】
つまり、本実施形態では、羽根部１２０の回転軸が、回路基板６０の板厚方向であるＺ方向と略一致するように、送風ファン１００がケース２０に取り付けられている。そして、ハウジング２００には、羽根部１２０の回転にともなって、ケース２０の外面に沿った空気の流れが形成されるように、Ｚ方向において互いに異なる位置に第１通気口２０１及び第２通気口２１２が形成されている。このため、送風ファン１００により、ケース２０、ひいては回路基板６０を効率よく冷却することができる。
【０１１４】
特に本実施形態では、第１通気口２０１が吸込口、第２通気口２１２が排出口とされる。これによれば、第２通気口２１２が吸込口、第１通気口２０１が排出口とされる構成に較べて、同じ回転数でも、ケース２０の外面上の流速を高めることができる。すなわち、ケース２０、ひいては回路基板６０の温度を低くすることができる。この点については、シミュレーションにより確認されている。
【０１１５】
上記したように、ケースの底壁に貫通孔を設けない構成では、送風ユニットにコネクタを設け、防水筐体の外で電気的な接続を行うこととなる。このため、ケースの外面上に、コネクタに接続されたハーネスが配置されることとなり、冷却の妨げとなる。すなわち、電子部品である発熱素子の配置も制限される。これに対し、本実施形態では、送風ファン１００の端子１４０が回路基板６０に接続されている。したがって、上記したコネクタやハーネスの妨げが無いため、回路素子６１の配置自由度を向上することができる。
【０１１６】
このように、コネクタやハーネスの妨げが無いため、本実施形態では、ハウジング２００の４つの側壁２１０のすべてに、第２通気口２１２が形成されている。これにより、第１通気口２０１から吸入した空気が、ケース２０の外面上を四方に広がる。したがって、ケース２０を効果的に冷却することができる。また、電子装置１０は、防水シール部５１を有しているため、送風ファン１００と回路基板６０とを電気的に接続しつつ、防水筐体の防水性を確保することができる。
【０１１７】
なお、本実施形態では、シール部材５０として、硬化前において液状の接着材を採用している。しかしながら、シール部材５０は、これに限定されず、弾性変形によってファン取付開口部２５の周りを水密に封止する部材であっても採用できる。このシール部材５０は、Ｏリングや環状のゴムシートなどであり、ファン取付開口部２５を囲う位置に設けられ、ハウジング２００とケース２０とで挟み込まれて弾性変形することで、ファン取付開口部２５の周りを水密に封止する。この場合、電子装置１０は、ケース２０に対して送風ファン１００を固定する固定機構を備えることが好ましい。また、この点は、他の実施形態でも同様である。
【０１１８】
また、本実施形態では、ハウジング２００の一部と壁部２１の内面とを対向させた状態で、送風ファン１００がケース２０に取り付けられている例を採用した。しかしながら、電子装置１０は、これに限定されず、ハウジング２００と壁部２１の外面とを対向させた状態で、送風ファン１００がケース２０に取り付けられていてもよい。
【０１１９】
さらに、本実施形態では、ファン側溝部２２２及びファン側凸部２２３が設けられたハウジング２００と、ケース側凸部２６及びケース側溝部２７が設けられたケース２０を採用した。しかしながら、電子装置１０は、これに限定されず、これらの溝部や凸部が設けられていなくてもよい。
【０１２０】
また、ファンカバー３００は、送風ファン１００に飛び石などの異物が衝突することを抑制するために、貫通孔３１１の形状を迷路形状などのようにしてもよい。つまり、ファンカバー３００は、送風ファン１００の対向領域に、Ｚ方向に直線的に貫通する穴が設けられておらず、Ｚ方向に非直線的に貫通する貫通孔３１１が設けられていると言える。また、ファンカバー３００は、送風ファン１００をＺ方向からファンカバー３００を介してみた場合に、羽根部１２０が見えないような貫通孔３１１が設けられていると言える。
【０１２１】
以上、本開示の好ましい実施形態について説明した。しかしながら、本開示は、上記実施形態に何ら制限されることはなく、本開示の趣旨を逸脱しない範囲において、種々の変形が可能である。以下に、本開示のその他の形態として、第２〜第５実施形態に関して説明する。上記実施形態及び第２〜第５実施形態は、それぞれ単独で実施することも可能であるが、適宜組み合わせて実施することも可能である。本開示は、実施形態において示された組み合わせに限定されることなく、種々の組み合わせによって実施可能である。
【０１２２】
（第２実施形態）
図５に基づき、第２実施形態に係る電子装置１０ａの概略構成について説明する。ここでは、電子装置１０ａにおける電子装置１０と異なる点を中心に説明する。電子装置１０ａは、ファンカバー３００ａの構成、及びファンカバー３００ａの取付位置が電子装置１０と異なる。電子装置１０ａにおいては、電子装置１０と同様の構成要素に同じ符号を付与する。よって、同じ符号の構成要素に関しては、上記実施形態を参照して適用できる。
【０１２３】
ファンカバー３００ａは、カバー上壁３１０ａに、ハウジング２００を囲う貫通孔３１１ａが設けられている。ファンカバー３００ａは、貫通孔３１１ａにハウジング２００が挿入された状態で、側壁２１０との間に密閉部材４００を介して取り付けられている。このため、電子装置１０ａは、ケース２０とファンカバー３００ａとの間隔が電子装置１０よりも近い。
【０１２４】
このように構成された電子装置１０ａは、電子装置１０と同様の効果を奏することができる。また、電子装置１０ａは、第１通気口２０１の対向領域に貫通孔３１１が設けられていないため、送風ファン１００による空気の流れを阻害することを抑制できる。このため、電子装置１０ａは、電子装置１０よりも効率的に空気を流すことができる。
【０１２５】
（第３実施形態）
図６、図７に基づき、第３実施形態に係る電子装置１０ｂの概略構成について説明する。ここでは、電子装置１０ｂにおける電子装置１０と異なる点を中心に説明する。電子装置１０ｂは、ファンカバー３００ｂの構成が電子装置１０と異なる。電子装置１０ｂにおいては、電子装置１０と同様の構成要素に同じ符号を付与する。よって、同じ符号の構成要素に関しては、上記実施形態を参照して適用できる。
【０１２６】
ファンカバー３００ｂは、壁部２１側に突出し、送風空間Ｓ２において、送風空間Ｓ２に配置された第２通気口２１２の開口方向に沿って設けられた複数の突出壁部３４０を含んでいる。つまり、ファンカバー３００ｂは、ケース２０に取り付けられた状態で、突出壁部３４０が周辺よりも壁部２１側に突出している。また、ファンカバー３００は、第２通気口２１２の開口方向に沿って設けられた突出壁部３４０が、回路基板６０の板厚方向に直交する方向の複数箇所に設けられていると言える。例えば、突出壁部３４０は、樹脂成形などによって、ファンカバー３００ｂのその他の部分と一体的に設けられている。また、突出壁部３４０は、平板形状をなしている。
【０１２７】
本実施形態では、一例として、Ｘ方向に延びる三つの突出壁部３４０と、Ｙ方向に延びる三つの突出壁部３４０が設けられたファンカバー３００ｂを採用している。Ｘ方向に延びる三つの突出壁部３４０は、Ｙ方向に並んで設けられている。一方、Ｙ方向に延びる三つの突出壁部３４０は、Ｘ方向に並んで設けられている。なお、ファンカバー３００ｂは、第２通気口２１２を通る空気の流路を形成する複数の突出壁部３４０を備えていると言える。
【０１２８】
このように構成された電子装置１０ｂは、電子装置１０と同様の効果を奏することができる。さらに、電子装置１０ｂは、送風空間Ｓ２に配置された排出口としての第２通気口２１２から排出される空気の流路を形成できる。これによって、電子装置１０ｂは、第２通気口２１２から排出される空気を周辺に供給しやすくできる。
【０１２９】
（第４実施形態）
図８、図９に基づき、第４実施形態に係る電子装置１０ｃの概略構成について説明する。ここでは、電子装置１０ｃにおける電子装置１０ｂと異なる点を中心に説明する。電子装置１０ｃは、ファンカバー３００ｃの構成が電子装置１０ｂと異なる。電子装置１０ｃにおいては、電子装置１０ｂと同様の構成要素に同じ符号を付与する。よって、同じ符号の構成要素に関しては、上記実施形態を参照して適用できる。
【０１３０】
ファンカバー３００ｃは、ファンカバー３００ｂと同様に、壁部２１側に突出し、送風空間Ｓ２において、送風空間Ｓ２に配置された第２通気口２１２の開口方向に沿って設けられた複数の突出壁部３５０を含んでいる。さらに、突出壁部３５０は、第１フィン２２ｂに沿って配置されている。例えば、突出壁部３５０は、Ｚ方向における平面視において、直線状のものと、Ｌ字状のものを含んでいる。
【０１３１】
突出壁部３５０は、第２通気口２１２の開口方向に延びる部位と、第１フィン２２ｂに沿う部位とを含んでいる。よって、突出壁部３５０は、Ｙ方向の位置が第１フィン２２ｂと一致した部分を含んでいる。また、ファンカバー３００ｃは、突出壁部３５０の端部が、第１フィン２２ｂの端部と対向した形状をなしていると言える。しかしながら、突出壁部３５０は、これに限定されず、第１フィン２２ｂの端部と、突出壁部３５０の端部とが対向していなくてもよい。
【０１３２】
電子装置１０ｃは、第１フィン２２ｂと突出壁部３５０によって、第２通気口２１２から連通口Ａ１に達する空気流路が形成されている。つまり、電子装置１０ｃは、二つの突出壁部３５０で挟まれた領域と、この領域と連通した二つの第１フィン２２ｂで挟まれ領域によって、第２通気口２１２から連通口Ａ１に連通した空気流路が形成されている。そして、電子装置１０ｃは、このような空気流路が複数設けられている。
【０１３３】
このように構成された電子装置１０ｃは、電子装置１０ｂと同様の効果を奏することができる。さらに、電子装置１０ｃは、第２通気口２１２から排出された空気を効率的に第１フィン２２ｂに供給できる。よって、電子装置１０ｃは、送風ファン１００と第１フィン２２ｂの両方を有効活用することができ、より一層放熱性を高めることができる。また、電子装置１０ｃは、送風ファン１００によって形成された空気の流れを第２通気口２１２と連通口Ａ１との間で遮ることを抑制できる。
【０１３４】
（第５実施形態）
図１０、図１１に基づき、第５実施形態に係る電子装置１０ｄの概略構成について説明する。ここでは、電子装置１０ｄにおける電子装置１０と異なる点を中心に説明する。電子装置１０ｄは、ファンカバー３００ｄの構成が電子装置１０と異なる。電子装置１０ｄにおいては、電子装置１０と同様の構成要素に同じ符号を付与する。よって、同じ符号の構成要素に関しては、上記実施形態を参照して適用できる。
【０１３５】
ファンカバー３００ｄは、送風ファン１００が取り付けられたケース２０からカバー３０に対向する位置にわたって設けられており、ケース２０とカバー３０との間に連続した送風空間Ｓ２を形成している。ファンカバー３００ｄは、カバー上壁３１０ｄ、カバー前壁３２０ｄ、カバー側壁３３０ｄに加えて、カバー裏壁３６０を含んでいる。これらは、一体的に設けられている。なお、カバー上壁３１０ｄは、カバー上壁３１０と同様である。
【０１３６】
カバー前壁３２０ｄは、ケース２０の側壁とカバー３０の側壁に対向する部位である。ここでのケース２０の側壁は、Ｘ方向における、ケース２０のコネクタ４０が取り付けられた部位の反対側の壁部である。一方、カバー３０の側壁は、Ｘ方向における、カバー３０のコネクタ４０が取り付けられた部位の反対側の壁部である。カバー前壁３２０ｄは、ケース２０の側壁とカバー３０の側壁と間隔をあけて対向配置されている。
【０１３７】
カバー裏壁３６０は、カバー３０のＸＹ平面に沿う面と間隔をあけて対向配置されている。なお、カバー裏壁３６０は、放熱フィン３１のＺ方向の先端部と密閉部材４００を介して接続されていてもよい。
【０１３８】
カバー側壁３３０ｄは、カバー上壁３１０ｄからケース２０側に突出した部位、及びカバー裏壁３６０からカバー３０側に突出した部位であり、ケース２０及びカバー３０と密閉部材４００を介して接続されている。カバー側壁３３０ｄは、カバー側壁３３０と同様に、二つの第２フィン２２ｃにおけるＸ方向側に露出している部位との間の全域が密閉部材４００を介して接続されている。さらに、カバー側壁３３０ｄは、カバー３０における放熱フィン３１が形成されている面との間の全域が密閉部材４００を介して接続されている。また、カバー裏壁３６０とカバー３０との対向領域は、カバー側壁３３０ｄで挟まれている。そして、カバー側壁３３０ｄは、この対向領域を挟み込む位置において、カバー３０との間の全域が密閉部材４００を介して接続されている。
【０１３９】
このように、ファンカバー３００ｄは、防水筐体の連続する三つの面に対向している。よって、電子装置１０ｄは、カバー３０とファンカバー３００ｄとの間にも、送風ファン１００よって形成された空気の流れを形成することができる。つまり、電子装置１０ｄは、ケース２０とファンカバー３００ｄとの間だけでなく、カバー３０とファンカバー３００ｄとの間にも送風空間Ｓ２が形成されている。そして、ケース２０とファンカバー３００ｄとの間の送風空間Ｓ２は、カバー３０とファンカバー３００ｄとの間の送風空間Ｓ２と連続的に設けられている。
【０１４０】
よって、電子装置１０ｄは、ケース２０に取り付けられた送風ファン１００を用いて、カバー３０も冷却することができる。つまり、電子装置１０ｄは、送風ファン１００を有効活用することができる。なお、電子装置１０ｄは、電子装置１０と同様の効果も奏することができる。
【符号の説明】
【０１４１】
１０…電子装置、２０…ケース、２１…壁部、２２…コネクタ取付部、２２ａ…高背収容部、２２ｂ…第１フィン、２２ｃ…第２フィン、２３…車体固定部、２４…筐体固定孔、２５…ファン取付開口部、２６…ケース側凸部、２７…ケース側溝部、３０…カバー、３１…放熱フィン、４０…コネクタ、５０…シール部材、５１…防水シール部、６０…回路基板、６１…回路素子、６２…スルーホール、１００…送風ファン、１１０…軸部、１２０…羽根部、１３０…ファン用回路基板、１４０…端子、１５０…ポッティング部、２００…ハウジング、２０１…第１通気口、２１０…側壁、２１１…側壁端部、２１２…第２通気口、２２０…底部、２２１…フランジ部、２２２…ファン側溝部、２２３…ファン側凸部、３００…ファンカバー、３１０…カバー上壁、３２０…カバー前壁、３３０…カバー側壁、３１１…貫通孔、４００…密閉部材
【図１】
2018206964.tif 000003
【図２】
2018206964.tif 000004
【図３】
2018206964.tif 000005
【図４】
2018206964.tif 000006
【図５】
2018206964.tif 000007
【図６】
2018206964.tif 000008
【図７】
2018206964.tif 000009
【図８】
2018206964.tif 000010
【図９】
2018206964.tif 000011
【図１０】
2018206964.tif 000012
【図１１】
2018206964.tif 000013